【手続補正書】
【提出日】平成15年11月18日(2003.11.18)
【手続補正１】
【補正対象書類名】明細書
【補正対象項目名】特許請求の範囲
【補正方法】変更
【補正の内容】
【特許請求の範囲】
【請求項１】
アプリケーション・プログラムを格納して実行する1台以上のクライアント端末と、前記クライアント端末に対して情報管理サービスを提供する情報管理サーバとがネットワークを介して接続されてなるネットワークシステムにおいて、前記アプリケーション・プログラムの価格を決定する方法であって、前記クライアント端末が前記アプリケーション・プログラムを実行したときに使用したログを収集する使用ログ収集ステップと、前記使用ログ収集ステップで収集した使用ログを解析する使用ログ解析ステップと、前記使用ログ解析ステップで解析した機能を基にして前記アプリケーション・プログラムの使用代金を計算する代金計算ステップとを有することを特徴とするアプリケーション・プログラムの価格決定方法。
【請求項２】
アプリケーション・プログラムを格納して実行する１台以上のクライアント端末と、前記クライアント端末に対して情報管理サービスを提供する情報管理サーバとがネットワークを介して接続されてなるネットワークシステムにおいて前記アプリケーション・プログラムの販売価格を決定する方法であって、前記クライアント端末が前記アプリケーション・プログラムを実行したときに使用したログを収集する使用ログ収集ステップと、前記使用ログ収集ステップで収集した使用ログを前記情報管理サーバに転送して記憶手段に格納する使用ログ格納ステップと、前記使用ログ格納ステップで記憶手段に格納した使用ログを解析する使用ログ解析ステップと、前記使用ログ解析ステップで解析した機能を基にして、前記クライアント端末によって使用されなかった機能を削除して前記アプリケーション・プログラムの使用機能テーブルを再構成する使用機能テーブル再構成ステップと、前記使用機能テーブル再構成ステップにより削除された機能に応じて前記アプリケーション・プログラムの使用代金を計算する代金計算ステップとを有することを特徴とするアプリケーション・プログラムの価格決定方法。
【請求項３】
前記アプリケーション・プログラムは、１つ以上の機能毎に部品として分割されていることを特徴とする請求項１または２に記載のアプリケーション・プログラムの価格決定方法。
【請求項４】
前記使用機能テーブルを再構成する際に、アプリケーション使用者の再構成に関わる指定を受け付けることを特徴とする請求項１または２に記載のアプリケーション・プログラムの価格決定方法。
【請求項５】
アプリケーション・プログラムを格納して実行する１台以上のクライアント端末と情報管理サーバとがネットワークで接続された環境において、前記アプリケーション・プログラムの代金は購入時に徴収するアプリケーション・プログラム販売方法であって、前記アプリケーション・プログラムの使用ログを収集する使用ログ収集ステップと、前記使用ログを情報管理サーバに転送して格納する使用ログ格納ステップと、前記使用ログ格納ステップで格納した使用ログを解析する使用ログ解析ステップと、前記使用ログ解析ステップにおいて解析した機能を基にして、前記アプリケーション・プログラムの使用機能テーブルを再構成する使用機能テーブル再構成ステップと、前記使用機能テーブル再構成ステップにより削除された機能に応じて前記徴収した代金の一部を返却する代金返却ステップとを有することを特徴とするアプリケーション・プログラムの販売方法。
【請求項６】
アプリケーション・プログラムを格納して実行する１台以上のクライアント端末と情報管理サーバとがネットワークで接続された環境において、アプリケーション・プログラムの代金は購入後一定期間後に回収するアプリケーション・プログラムの販売方法であって、前記アプリケーション・プログラムの使用ログを収集する使用ログ収集ステップと、前記使用ログ収集ステップで収集した使用ログを記憶手段に格納する使用ログ格納ステップと、前記使用ログ格納ステップで格納した使用ログを解析する使用ログ解析ステップと、前記使用ログ解析ステップにおいて解析した機能を基に前記アプリケーション・プログラムの使用機能テーブルを再構成する使用機能テーブル再構成ステップと、前記使用機能テーブル再構成ステップにおいて削除された機能に応じてアプリケーション・プログラムの価格を決定し、代金を徴収する代金徴収ステップとを有することを特徴とするアプリケーション・プログラムの販売方法。
【請求項７】
前記アプリケーション・プログラムは、１つ以上の機能毎に部品として分割されていることを特徴とする請求項５または６に記載のアプリケーション・プログラムの販売方法。
【請求項８】
前記使用機能テーブルを再構成する際に、アプリケーション使用者の再構成に関わる指定を受け付けることを特徴とする請求項５または６に記載のアプリケーション・プログラムの販売方法。
【請求項９】
アプリケーション・プログラムを格納して実行する１台以上のクライアント端末と、前記クライアント端末に対して情報管理サービスを提供する情報管理サーバとがネットワークを介して接続されてなるネットワークシステムにおいて、前記アプリケーション・プログラムの価格を決定するシステムであって、前記クライアント端末が前記アプリケーション・プログラムを実行したときに使用したログを収集する使用ログ収集手段と、前記使用ログ収集手段で収集した使用ログを解析する使用ログ解析手段と、前記解析した機能を基にして前記アプリケーション・プログラムの使用代金を計算する代金計算手段とを有することを特徴とするアプリケーション・プログラムの価格決定システム。
【請求項１０】
アプリケーション・プログラムを格納して実行する１台以上のクライアント端末と、前記クライアント端末に対して情報管理サービスを提供する情報管理サーバとがネットワークを介して接続されてなるネットワークシステムにおいて前記アプリケーション・プログラムの販売価格を決定するシステムであって、前記クライアント端末が前記アプリケーション・プログラムを実行したときに使用したログを収集する使用ログ収集手段と、前記使用ログ収集手段で収集した使用ログを前記管理サーバに転送して記憶手段に格納する使用ログ格納手段と、前記記憶手段に格納した使用ログを解析する使用ログ解析手段と、前記解析した機能を基にして、前記クライアント端末によって使用されなかった機能を削除して前記アプリケーション・プログラムの使用機能テーブルを再構成する使用機能テーブル再構成手段と、前記使用機能テーブル再構成手段により削除された機能に応じて前記アプリケーション・プログラムの使用代金を計算する代金計算手段とを有することを特徴とするアプリケーション・プログラムの価格決定システム。
【請求項１１】
アプリケーション・プログラムを格納して実行する１台以上のクライアント端末と情報管理サーバとがネットワークで接続された環境において、アプリケーション・プログラムの代金は購入時に徴収するアプリケーション・プログラム販売システムであって、
前記アプリケーション・プログラムの使用ログを収集する使用ログ収集手段と、前記使用ログを情報管理サーバに転送して格納する使用ログ格納手段と、前記使用ログ格納手段で格納した使用ログを解析する使用ログ解析手段と、前記使用ログ解析手段において解析した機能を基にして、前記アプリケーション・プログラムの使用機能テーブルを再構成する使用機能テーブル再構成手段と、前記使用機能テーブル再構成手段により削除された機能に応じて前記徴収した代金の一部を返却する代金返却手段とを有することを特徴とするアプリケーション・プログラムの販売システム。
【請求項１２】
アプリケーション・プログラムを格納して実行する１台以上のクライアント端末と情報管理サーバとがネットワークで接続された環境において、アプリケーション・プログラムの代金は購入後一定期間後に回収するアプリケーション・プログラムの販売システムであって、前記アプリケーション・プログラムの使用ログを収集する使用ログ収集手段と、前記使用ログ収集手段で収集した使用ログを記憶手段に格納する使用ログ格納手段と、前記使用ログ格納手段で格納した使用ログを解析する使用ログ解析手段と、前記使用ログ解析手段において解析した機能を基に前記アプリケーション・プログラムの使用機能テーブルを再構成する使用機能テーブル再構成手段と、前記使用機能テーブル再構成手段において削除された機能に応じてアプリケーション・プログラムの価格を決定し、代金を徴収する代金徴収手段とを有することを特徴とするアプリケーション・プログラムの販売システム。
【請求項１３】
前記請求項１〜８の何れか１項に記載の各方法の手順をコンピュータに実行させるためのプログラムを記録したことを特徴とするコンピュータ読み取り可能な記憶媒体。
【請求項１４】
コンピュータを前記請求項９〜１２の何れか１項に記載の各手段として機能させるためのプログラムを記録したことを特徴とするコンピュータ読み取り可能な記憶媒体。
【手続補正２】
【補正対象書類名】明細書
【補正対象項目名】００１３
【補正方法】変更
【補正の内容】
【００１３】
本発明のアプリケーション・プログラムの価格決定システムは、アプリケーション・プログラムを格納して実行する１台以上のクライアント端末と、前記クライアント端末に対して情報管理サービスを提供する情報管理サーバとがネットワークを介して接続されてなるネットワークシステムにおいて、前記アプリケーション・プログラムの価格を決定するシステムであって、前記クライアント端末が前記アプリケーション・プログラムを実行したときに使用したログを収集する使用ログ収集手段と、前記使用ログ収集手段で収集した使用ログを解析する使用ログ解析手段と、前記解析した機能を基にして前記アプリケーション・プログラムの使用代金を計算する代金計算手段とを有することを特徴としている。
また、本発明の他の特徴とするところは、アプリケーション・プログラムを格納して実行する１台以上のクライアント端末と、前記クライアント端末に対して情報管理サービスを提供する情報管理サーバとがネットワークを介して接続されてなるネットワークシステムにおいて前記アプリケーション・プログラムの販売価格を決定するシステムであって、前記クライアント端末が前記アプリケーション・プログラムを実行したときに使用したログを収集する使用ログ収集手段と、前記使用ログ収集手段で収集した使用ログを記憶手段に格納する使用ログ格納手段と、前記記憶手段に格納した使用ログを解析する使用ログ解析手段と、前記解析した機能を基にして、前記クライアント端末によって使用されなかった機能を削除して前記アプリケーション・プログラムの使用機能テーブルを再構成する使用機能テーブル再構成手段と、前記使用機能テーブル再構成手段により削除された機能に応じて前記アプリケーション・プログラムの使用代金を計算する代金計算手段とを有することを特徴としている。


【手続補正３】
【補正対象書類名】明細書
【補正対象項目名】００１４
【補正方法】変更
【補正の内容】
【００１４】
本発明のアプリケーション・プログラムの販売システムは、アプリケーション・プログラムを格納して実行する１台以上のクライアント端末と情報管理サーバとがネットワークで接続された環境において、アプリケーション・プログラムの代金は購入時に徴収するアプリケーション・プログラム販売システムであって、前記アプリケーション・プログラムの使用ログを収集する使用ログ収集手段と、前記使用ログを情報管理サーバに転送して格納する使用ログ格納手段と、前記使用ログ格納手段で格納した使用ログを解析する使用ログ解析手段と、前記使用ログ解析手段において解析した機能を基にして、前記アプリケーション・プログラムの使用機能テーブルを再構成する使用機能テーブル再構成手段と、前記使用機能テーブル再構成手段により削除された機能に応じて前記徴収した代金の一部を返却する代金返却手段とを有することを特徴としている。
また、本発明の他の特徴とするところは、アプリケーション・プログラムを格納して実行する１台以上のクライアント端末と情報管理サーバとがネットワークで接続された環境において、アプリケーション・プログラムの代金は購入後一定期間後に回収するアプリケーション・プログラムの販売システムであって、前記アプリケーション・プログラムの使用ログを収集する使用ログ収集手段と、前記使用ログ収集手段で収集した使用ログを記憶手段に格納する使用ログ格納手段と、前記使用ログ格納手段で格納した使用ログを解析する使用ログ解析手段と、前記使用ログ解析手段において解析した機能を基に前記アプリケーション・プログラムの使用機能テーブルを再構成する使用機能テーブル再構成手段と、前記使用機能テーブル再構成手段において削除された機能に応じてアプリケーション・プログラムの価格を決定し、代金を徴収する代金徴収手段とを有することを特徴としている。


【手続補正４】
【補正対象書類名】明細書
【補正対象項目名】００１５
【補正方法】変更
【補正の内容】
【００１５】
本発明の記憶媒体は、前記の何れかに記載の各方法の手順をコンピュータに実行させるためのプログラムを記録したことを特徴としている。
また、本発明の他の特徴とするところは、コンピュータを前記の何れかに記載の各手段として機能させるためのプログラムを記録したことを特徴としている。